(57)【要約】【課題】加入者光配線を介してデータ通信と映像配信の双方を行うための内器が収納可能なマルチメディアポートを提供する。【解決手段】ルータ１８、ハブ２０はそれぞれボックス１内において通信ケーブル用引き込み口７に対応する位置に収納され、分配器１６は同軸ケーブル用引き込み口６に対応する位置に収納される。ボックス１内における左側の部分が分波器１０と映像用端末装置１１と通信用端末装置１２の収納スペースとなり、この収納スペースに分波器１０、映像用端末装置１１、通信用端末装置１２が水平方向に並べて収納される。よって、加入者光配線４０を介してデータ通信と映像配信の双方を行うための内器（分波器１０、映像用端末装置１１、通信用端末装置１２）がボックス１内に収納可能となり、データ通信と映像配信の双方の配線を宅内に先行配線することができる。【選択図】        図１
2006120741.tif 000002
【特許請求の範囲】
【請求項１】
映像用機器や通信用機器等のマルチメディアポート用機器を内器としてボックスに収納し、宅内に設置された情報用コンセントへの配線を集線するマルチメディアポートにおいて、映像配信用の光信号と通信用の光信号が光波長多重方式で伝送される加入者光配線が引き込まれる光配線用引き込み口と、宅内に施工される情報用コンセントへの電気配線が引き込まれる電気配線用引き込み口とが前記ボックスに設けられるとともに、映像配信用光信号と通信用光信号を分波する分波器と、分波器で分波された映像配信用光信号を電気的な映像信号に変換する映像用端末装置と、分波器で分波された通信用光信号と通信用の電気信号を相互に変換する通信用端末装置と、情報用コンセントのうちで宅内に配設された複数のテレビコンセントに電気的な映像信号を分配する分配器と、情報用コンセントのうちで宅内に配設された複数のモジュラコンセントと通信用端末装置を接続する集線装置とが少なくとも収納可能なスペースが前記ボックスに設けられたことを特徴とするマルチメディアポート。
【請求項２】
映像用機器や通信用機器等のマルチメディアポート用機器を内器としてボックスに収納し、宅内に設置された情報用コンセントへの配線を集線するマルチメディアポートにおいて、映像配信用の光信号と通信用の光信号が光波長多重方式で伝送される加入者光配線が引き込まれる光配線用引き込み口、宅内に施工される情報用コンセントへの電気配線が引き込まれる電気配線用引き込み口が設けられた前記ボックスと、映像配信用光信号と通信用光信号を分波する分波器と、分波器で分波された映像配信用光信号を電気的な映像信号に変換する映像用端末装置と、分波器で分波された通信用光信号と通信用の電気信号を相互に変換する通信用端末装置と、情報用コンセントのうちで宅内に配設された複数のテレビコンセントに電気的な映像信号を分配する分配器と、情報用コンセントのうちで宅内に配設された複数のモジュラコンセントと通信用端末装置を接続する集線装置とを備え、前記分波器、映像用端末装置、通信用端末装置、分配器、集線装置が前記ボックスに収納されることを特徴とするマルチメディアポート。
【請求項３】
ボックス内において光信号を伝送する光ファイバコードを備え、該光ファイバコードは、長さ方向の少なくとも一部が螺旋状にカールした光カールコードであることを特徴とする請求項１又は２記載のマルチメディアポート。
【請求項４】
前記加入者光配線としての光ファイバコードを備え、該光ファイバコードは、長さ方向の少なくとも一部が螺旋状にカールした光カールコードであることを特徴とする請求項１又は２記載のマルチメディアポート。
【請求項５】
前記光配線用引き込み口から引き込まれた加入者光配線を成端する成端部を備えたことを特徴とする請求項１〜４の何れかに記載のマルチメディアポート。
【請求項６】
前記加入者光配線を保持する保持部を備えたことを特徴とする請求項５記載のマルチメディアポート。
【請求項７】
前記成端部は、前記加入者光配線としての光ファイバコードの先端に付設されている光コネクタが着脱自在に接続される第１の受け部と、ボックス内で光信号伝送に用いられる光ファイバコードの先端に付設されている光コネクタが着脱自在に接続される第２の受け部とを有し、第１及び第２の受け部に接続された光コネクタ間で光信号を伝送させるアダプタからなることを特徴とする請求項５記載のマルチメディアポート。
【請求項８】
前記情報用コンセントのうちで、光ファイバコードが接続される光コンセントへの光配線を前記ボックス内に引き込む宅内光配線用引き込み口が当該ボックスに設けられ、前記宅内光配線用引き込み口から引き込まれた宅内用光配線を成端する第２の成端部を備えたことを特徴とする請求項５記載のマルチメディアポート。
【請求項９】
前記加入者光配線に代えて、屋外に設置された屋外光キャビネット内で加入者光配線と接続された宅内光配線が前記光配線用引き込み口から引き込まれることを特徴とする請求項１又は２記載のマルチメディアポート。
【発明の詳細な説明】
【技術分野】
【０００１】
本発明は、映像用機器や通信用機器等のマルチメディアポート用機器を内器としてボックスに収納し、宅内に設置された情報用コンセントへの配線を集線するマルチメディアポートに関するものである。
【背景技術】
【０００２】
従来より、壁面に取り付けられる合成樹脂製のボディと、ボディの前面開口部に被着される合成樹脂製のカバーとで構成されるボックスを備え、このボックス内に映像用機器や通信用機器などの内器を収納し、宅内に設置された情報用コンセントへの配線を集線するマルチメディアポートが提供されている（例えば、特許文献１参照）。ここで、従来のマルチメディアポートの内器として、ＵＨＦ及びＶＨＦの地上波放送やＢＳ又はＣＳの衛星放送を受信するアンテナと接続されそれぞれのアンテナで受信した信号の増幅や分配を行うＵ／Ｖ・ＢＳ・ＣＳブースタ、ＩＳＤＮによるデータ通信を利用するためのＤＳＵやＴＡ、あるいは宅内にＬＡＮを構築する際に用いられるスイッチングハブなどがあった。
【特許文献１】特開２０００−１３３９６０号公報
【発明の開示】
【発明が解決しようとする課題】
【０００３】
近年、一般家庭へのインターネットの普及に伴い、高速・大容量のデータ通信が可能なデータ伝送路として光ファイバが普及しつつある。また、データ通信だけなくテレビ放送を家庭に引き込まれた加入者光配線（光ファイバ）を使って配信するサービスも提供されている。かかるサービスにおいては、映像（テレビ放送）配信用の光信号と通信用の光信号が光波長多重方式により同一の加入者光配線で伝送され、映像配信用光信号と通信用光信号を分波する分波器、分波器で分波された映像配信用光信号を電気的な映像信号に変換する映像用端末装置（Ｖ−ＯＮＵ）、分波器で分波された通信用光信号と通信用の電気信号を相互に変換する通信用端末装置（Ｂ−ＯＮＵ）が加入者宅に設置され、映像用端末装置からセットトップボックスを介して、あるいは直接、テレビ受像機に映像信号を入力してテレビ放送を視聴するとともに、通信用端末装置とパーソナルコンピュータを通信ケーブルで接続してデータ通信を行うことができる。
【０００４】
しかしながら、従来のマルチメディアポートには上記サービスに必要な分波器、映像用端末装置、通信用端末装置などを収納するスペースがボックスに設けられていないため、これらの機器の設置場所が別途必要となり、上記サービスの普及を阻害する要因の一つとなっている。
【０００５】
本発明は上記事情に鑑みて為されたものであり、その目的は、加入者光配線を介してデータ通信と映像配信の双方を行うための内器が収納可能なマルチメディアポートを提供することにある。
【課題を解決するための手段】
【０００６】
請求項１の発明は、上記目的を達成するために、映像用機器や通信用機器等のマルチメディアポート用機器を内器としてボックスに収納し、宅内に設置された情報用コンセントへの配線を集線するマルチメディアポートにおいて、映像配信用の光信号と通信用の光信号が光波長多重方式で伝送される加入者光配線が引き込まれる光配線用引き込み口と、宅内に施工される情報用コンセントへの電気配線が引き込まれる電気配線用引き込み口とが前記ボックスに設けられるとともに、映像配信用光信号と通信用光信号を分波する分波器と、分波器で分波された映像配信用光信号を電気的な映像信号に変換する映像用端末装置と、分波器で分波された通信用光信号と通信用の電気信号を相互に変換する通信用端末装置と、情報用コンセントのうちで宅内に配設された複数のテレビコンセントに電気的な映像信号を分配する分配器と、情報用コンセントのうちで宅内に配設された複数のモジュラコンセントと通信用端末装置を接続する集線装置とが少なくとも収納可能なスペースが前記ボックスに設けられたことを特徴とする。
【０００７】
請求項２の発明は、上記目的を達成するために、映像用機器や通信用機器等のマルチメディアポート用機器を内器としてボックスに収納し、宅内に設置された情報用コンセントへの配線を集線するマルチメディアポートにおいて、映像配信用の光信号と通信用の光信号が光波長多重方式で伝送される加入者光配線が引き込まれる光配線用引き込み口、宅内に施工される情報用コンセントへの電気配線が引き込まれる電気配線用引き込み口が設けられた前記ボックスと、映像配信用光信号と通信用光信号を分波する分波器と、分波器で分波された映像配信用光信号を電気的な映像信号に変換する映像用端末装置と、分波器で分波された通信用光信号と通信用の電気信号を相互に変換する通信用端末装置と、情報用コンセントのうちで宅内に配設された複数のテレビコンセントに電気的な映像信号を分配する分配器と、情報用コンセントのうちで宅内に配設された複数のモジュラコンセントと通信用端末装置を接続する集線装置とを備え、前記分波器、映像用端末装置、通信用端末装置、分配器、集線装置が前記ボックスに収納されることを特徴とする。
【０００８】
請求項３の発明は、請求項１又は２の発明において、ボックス内において光信号を伝送する光ファイバコードを備え、該光ファイバコードは、長さ方向の少なくとも一部が螺旋状にカールした光カールコードであることを特徴とする。
【０００９】
請求項４の発明は、請求項１又は２の発明において、前記加入者光配線としての光ファイバコードを備え、該光ファイバコードは、長さ方向の少なくとも一部が螺旋状にカールした光カールコードであることを特徴とする。
【００１０】
請求項５の発明は、請求項１〜４の何れかの発明において、前記光配線用引き込み口から引き込まれた加入者光配線を成端する成端部を備えたことを特徴とする。
【００１１】
請求項６の発明は、請求項５の発明において、前記加入者光配線を保持する保持部を備えたことを特徴とする。
【００１２】
請求項７の発明は、請求項５の発明において、前記成端部は、前記加入者光配線としての光ファイバコードの先端に付設されている光コネクタが着脱自在に接続される第１の受け部と、ボックス内で光信号伝送に用いられる光ファイバコードの先端に付設されている光コネクタが着脱自在に接続される第２の受け部とを有し、第１及び第２の受け部に接続された光コネクタ間で光信号を伝送させるアダプタからなることを特徴とする。
【００１３】
請求項８の発明は、請求項５の発明において、前記情報用コンセントのうちで、光ファイバコードが接続される光コンセントへの光配線を前記ボックス内に引き込む宅内光配線用引き込み口が当該ボックスに設けられ、前記宅内光配線用引き込み口から引き込まれた宅内用光配線を成端する第２の成端部を備えたことを特徴とする。
【００１４】
請求項９の発明は、請求項１又は２の発明において、前記加入者光配線に代えて、屋外に設置された屋外光キャビネット内で加入者光配線と接続された宅内光配線が前記光配線用引き込み口から引き込まれることを特徴とする。
【発明の効果】
【００１５】
請求項１並びに請求項２の発明によれば、加入者光配線を介してデータ通信と映像配信の双方を行うための内器がボックス内に収納可能となり、データ通信と映像配信の双方の配線を宅内に先行配線することができるという効果がある。
【００１６】
請求項３の発明によれば、伸縮によって全長が変化する光カールコードを用いることにより、ボックス内における内器の配置や光ファイバコード（光カールコード）の引き回しの自由度が高くなるという効果がある。
【００１７】
請求項４の発明によれば、加入者光配線を光カールコードとしたので、加入者光配線と直接接続する内器のボックス内における配置の自由度が高くなるという効果がある。
【００１８】
請求項５の発明によれば、加入者光配線を成端部に成端しておけば、ボックス内に内器を収納する前に加入者光配線を施工することができて施工作業の作業性が向上する、あるいは必要に応じて施工後に機器を設置できるという効果がある。
【００１９】
請求項６の発明によれば、保持部に保持することで光ファイバコードがボックスの外に引き戻されることを防止できるという効果がある。
【００２０】
請求項７の発明によれば、加入者光配線の光ファイバコードとボックス内における光配線の光ファイバコードに付設される光コネクタが異なる種類であってもアダプタを介して相互に接続することができ、光コネクタの取付や交換の作業が不要になるという効果がある。
【００２１】
請求項８の発明によれば、宅内光配線を宅内光配線用引き込み口からボックス内に引き込んで成端部に成端しておけば、宅内光配線を介して加入者光配線を宅内の任意の場所に配線することができるという効果がある。
【発明を実施するための最良の形態】
【００２２】
以下、本発明を実施形態により詳細に説明する。
【００２３】
本実施形態のマルチメディアポートは、図１に示すように壁面に取り付けられる合成樹脂製のボディ２と、ボディ２の前面開口部に着脱自在に被着される合成樹脂製のカバー（図示せず）とで構成されるボックス１を備える。ボディ２は、平板状の底板３と、底板３の周縁から前方へ立ち上がる周壁４とで前面が開口した矩形箱状に形成されている。図１における上側の周壁４には、加入者光配線４０が引き込まれる光配線用引き込み口５と、宅内に施工される情報用コンセントへの電気配線が引き込まれる電気配線用引き込み口とが設けられている。但し、電気配線用引き込み口には２種類あって、映像信号伝送用の同軸ケーブル５０が引き込まれる同軸ケーブル用引き込み口６と、１０ＢＡＳＥ−Ｔや１００ＢＡＳＥ−Ｔなどの汎用のＬＡＮに使用されるツイストペアケーブル（ＬＡＮケーブル６０）や電話ケーブル６１が引き込まれる通信ケーブル用引き込み口７とが各々３つずつ設けられている。また、加入者光配線４０とＬＡＮケーブル６０及び電話ケーブル６１は円筒形の配管８内に通線されており、配管８の端部がボックス１の周壁４に当接させてある。尚、これらの引き込み口５〜７を周壁４に設ける代わりに底板３に設け、壁の裏に配線された加入者光配線４０、同軸ケーブル５０、ＬＡＮケーブル６０を底板３に設けた各引き込み口５〜７を通してボックス１内に引き込むようにしても構わない。
【００２４】
光配線用引き込み口５からボックス１内に引き込まれた加入者光配線４０は分波器１０に接続される。この分波器１０は、加入者光配線４０を介して光波長多重方式で伝送される映像配信用の光信号と通信用の光信号を分波するものであって、分波された２種類の光信号がボックス１内配線用の光ファイバコード１１，１２を介して映像用端末装置（Ｖ−ＯＮＵ）１３と通信用端末装置（Ｂ−ＯＮＵ）１４に伝送される。映像用端末装置１３は、光ファイバコード１１を介して分波器１０から伝送される映像配信用の光信号を電気的な映像信号に変換するものであって、変換された映像信号が同軸ケーブル１５を介して分配器１６に入力される。分配器１６は入力された映像信号を複数系統（例えば、３系統）に分配し、各系統毎に宅内に配設されているテレビコンセント（図示せず）と同軸ケーブル５０で接続される。尚、分配器１６は入力された映像信号を増幅する増幅器を内蔵する場合もある。また通信用端末装置１４は、分波器１０で分波された通信用光信号と通信用の電気信号（例えば、汎用のＬＡＮ規格であるＩＥＥＥ８０２．３に準拠した信号）を相互に変換するものであって、ＬＡＮケーブル１７で接続されたルータ１８との間で通信用の電気信号（以下、「ＬＡＮ信号」と呼ぶ）が相互に伝送される。ここで、ルータ１８にはＬＡＮケーブル１９を介してハブ２０が接続され、ハブ２０が有する複数のポートと宅内に配設された情報用コンセント（ＬＡＮコンセント）がＬＡＮケーブル６０によって接続されている。ここで本実施形態におけるルータ１８は、所謂ＩＰ電話対応機器であって、一般のアナログ電話機で使用される電気信号とＩＰプロトコルのパケットを相互に変換する機能を有し、通信用端末装置１４から加入者光配線を介してアナログ電話機同士による通話を可能とするものである。尚、この種のＩＰ電話対応機器は従来周知であるから詳細な説明は省略する。ルータ１８の電話機接続用端子（図示せず）には電話ケーブル２１を介して電話用端子台２２が接続されている。この電話用端子台２２は、宅内に設置されている複数の電話コンセントに接続された複数の電話ケーブル６１とルータ１８の電話機接続用端子に接続された電話ケーブル２１をスター結線するものである。
【００２５】
ルータ１８、ハブ２０、電話用端子台２２はそれぞれボックス１内において通信ケーブル用引き込み口７に対応する位置（図１における右側）に水平方向に並べて収納され、分配器１６は同軸ケーブル用引き込み口６に対応する位置（図１における略中央）に収納される。そして、ボックス１内における左側の部分、すなわち、図１において破線で囲まれた部分が分波器１０と映像用端末装置１１と通信用端末装置１２の収納スペースとなり、この収納スペースに分波器１０、映像用端末装置１１、通信用端末装置１２が水平方向に並べて収納される。このように本実施形態のマルチメディアポートでは、加入者光配線４０を介してデータ通信と映像配信の双方を行うための内器（分波器１０、映像用端末装置１１、通信用端末装置１２）がボックス１内に収納可能となり、データ通信と映像配信の双方の配線を宅内に先行配線することができる。
【００２６】
ところで、本実施形態のマルチメディアポートを宅内に施工する場合、光ファイバコードを必要な長さに切り取るとともに端部に光コネクタを取り付ける作業が必要であった。かかる作業は熟練の作業者が高価な光ファイバ用カッタなどの専用治具を用いて行わなければならず、作業効率が低いものであった。また光ファイバコードには伝送損失を損なわない最小曲げ半径が規定されており、余った部分については最小曲げ半径を下回らないように束ねる処理（余長処理）とそのためのスペースが必要なため、さらに作業効率が低下していた。
【００２７】
一方、長さ方向の少なくとも一部が螺旋状にカールし、長さ方向の両端における非カール部の先端にそれぞれ光コネクタが付設された光ファイバコード（以下、「光カールコード」と呼ぶ）が開発されている。従って、図２に示すように光カールコードをボックス１内の光ファイバコード１１，１２として用いたり、あるいは図３に示すように加入者光配線４０の光ファイバコードに用いれば、ボックス１内における内器の配置や光ファイバコード（光カールコード）１１，１２の引き回しの自由度が高くなるとともに、加入者光配線４０と直接接続する内器（分波器１０）のボックス１内における配置の自由度が高くなるという利点がある。
【００２８】
ところで、光配線用引き込み口５からボックス１内に引き込まれた加入者光配線４０を内器（分波器１０）に接続するに当たり、加入者光配線４０に用いる光ファイバコードを直に接続するよりも成端部に成端する方が望ましい。例えば、図４に示すようにボックス１内に引き込まれた加入者光配線４０の先端を光コネクタ４１で成端するとともにボックス１内に設けられた取付板２３（又は光アダプタ）に光コネクタ４１を着脱自在に取り付けておく。この取付板２３は、ボックス１の底板３に固定された固定片２３ａと、固定片２３ａの下端から前方へ延設された主片２３ｂとからなり、主片２３ｂの上面から突出する嵌合突起（図示せず）に光コネクタ４１が着脱自在に嵌合して固定されるものである。従って、加入者光配線４０の先端を光コネクタ４１で成端し且つ取付板２３に光コネクタ４１を取り付ければ、加入者光配線４０を介してデータ通信と映像配信の双方を行うための内器（分波器１０、映像用端末装置１１、通信用端末装置１２）を必要に応じて後からボックス１内に収納し、取付板２３から取り外した光コネクタ４１を内器に接続することができるから、ボックス１内に内器が収納されているか否かに関わらず、加入者光配線４０を施工することができて施工作業の作業性が向上するという利点がある。
【００２９】
また加入者光配線４０、若しくは図５に示すように屋外の壁面に設置された屋外光キャビネット１００内で加入者光配線４０と接続されて宅内に引き込まれる宅内光配線４０’として光カールコードを用いた場合、光カールコードがカール部分の復元力で縮むことによりボックス１の外へ引き戻される可能性があり、また、カール部分を持たない通常の光ファイバコードを用いた場合でも、光ファイバコードの自重や張力によってボックス１の外へ引き戻される可能性があるので、図６に示すように加入者光配線４０（又は宅内光配線４０’）の端部を保持する保持部４２をボックス１の底板３に設けることが望ましい。この保持部４２は、前面にすべり止め用の突条４２ｂが列設されて底板３に固定される土台４２ａと、土台４２ａの前面に開閉自在に設けられる蓋体４２ｃとで構成され、土台４２ａと蓋体４２ｃとの間に加入者光配線４０を挟み込んで保持する構造となっており、蓋体４２ｃの保持面にもすべり止め用の突条４２ｄが列設されている。尚、蓋体４２ｃは図示しないロック機構によって土台４２ａに対して閉じた状態が保持される。従って、保持部４２に保持することで光カールコード（若しくは通常の光ファイバコード）がボックス１の外へ引き戻されることが防止できる。
【００３０】
ここで、加入者光配線４０（光ファイバコード）の先端を成端する光コネクタ４１と、内器に接続するための光ファイバコードの端部を成端する光コネクタが異種のもの、例えば、加入者光配線４０の光コネクタ４１が所謂ＭＵ形（ＪＩＳ  Ｃ５９８３に規定される「Ｆ１４形単心光ファイバコネクタ」）、内器接続用の光コネクタが所謂ＳＣ形（ＪＩＳ  Ｃ５９７３に規定される「Ｆ０４形単心光ファイバコネクタ」）であるとすれば、図７に示すように異なる２種の光コネクタ同士を接続する変換アダプタ４３を取付板２３に取り付けておけば、加入者光配線４０の光ファイバコードとボックス１内における光配線の光ファイバコードの光コネクタが異なる種類であっても変換アダプタ４３を介して相互に接続することができ、光コネクタの取付や交換の作業が不要になる。尚、変換アダプタ４３は、加入者光配線４０としての光ファイバコードの先端に付設されている光コネクタ４１が着脱自在に接続される第１の受け部と、ボックス１内で光信号伝送に用いられる光ファイバコードの先端に付設されている光コネクタ（図示せず）が着脱自在に接続される第２の受け部とを有し、第１及び第２の受け部に接続された光コネクタ間で光信号を伝送させるものであって、詳細な構造については従来周知であるから説明は省略する。
【００３１】
ところで、マルチメディアポートを設置して映像信号伝送用の同軸ケーブル５０や通信用のＬＡＮケーブル６０を宅内に先行配線した場合であっても、例えば、ＬＡＮケーブル６０が先行配線されていない部屋に通信用端末装置１４を設置する必要が生じたときにはマルチメディアポートまで先行配線されている加入者光配線４０を、マルチメディアポートから通信用端末装置１４を設置する部屋まで配線された宅内光配線とボックス１内で接続しなければならない。そこで、図８に示すように加入者光配線４０の先端を成端する光コネクタ４１と、ボックス１の下側の周壁４に設けられた宅内光配線用引き込み口（図示せず）から引き込まれた宅内光配線４４の先端を成端する光コネクタ４５と、２種の光コネクタ４１，４５を変換して接続する変換アダプタ４６と、変換アダプタ４６が取り付けられる取付板２３からなる成端部を設ければ、宅内光配線４４を介して加入者光配線４０を宅内の任意の場所に配線することができる。
【００３２】
あるいは、図９に示すように加入者光配線４０の先端を成端する成端部（光コネクタ４１及び取付板２３）と、複数（例えば４つ）の宅内光配線４４の先端をそれぞれ成端する成端部（光コネクタ４５、変換アダプタ４６、取付板２３）とをボックス１内に設け、加入者光配線４０の光コネクタ４１と、何れか一つの宅内光配線４４の変換アダプタ４６とを光ファイバコード４７の先端を成端する光コネクタ４８で接続する構成としてもよい。かかる構成とすれば、複数の宅内光配線４４を宅内における任意の場所に先行配線し、何れか一つの宅内光配線４４が加入者光配線４０と接続されるから、予め複数の部屋に先行配線された宅内光配線４４を介して加入者光配線４０を宅内の任意の場所に配線することが可能となる。なお、加入者光配線４０と宅内光配線４４を任意に接続換えする構成については、同じ機能を有する光切替器、例えば、光スイッチを用いてもよい。この種の光スイッチには、機械的な通信路切替方式や電気光学効果を用いた高速切替方式などがあるが、それらは周知であるから説明は省略する。
【００３３】
ところで、マルチメディアポートのボックス１内に収納する内器には、通電や通信などの状態を表示する表示灯が前面に設けられているものがあるが、ボックス１のボディ２前面にカバーを被着した状態では表示灯を視認することができず、表示灯を視認可能とするためにはカバーに孔を設けて当該孔を通して表示灯をカバー前面に露出させる必要がある。しかしながら、このようにカバーに設ける孔の位置に合わせて表示灯を有する内器の収納位置が決まってしまい、かかる内器の収納位置の自由度が低下してしまうことになる。そこで、図１０に示すように内器（例えば、映像用端末装置１３）が前面に具備する複数の表示灯１３ａと、ボックス１のカバー１ａに設けた孔１ｂとの間を光ファイバコード４９で接続し、表示灯１３ａが発する光を光ファイバコード４９を通してカバー１ａの孔１ｂまで導光し、孔１ｂからカバー１ａの前面に放射する構成とすればよい。かかる構成によれば、内器（映像用端末装置１３）の収納位置が孔１ｂの位置で規制されることがなく、内器の収納の自由度が増すという利点がある。
【図面の簡単な説明】
【００３４】
【図１】本発明の実施形態を示す概略構成図である。
【図２】同上においてボックス内配線用に光カールコードを用いた場合の一部省略した概略構成図である。
【図３】同上において加入者光配線に光カールコードを用いた場合の一部省略した概略構成図である。
【図４】同上において加入者光配線の成端部を示す一部省略した概略構成図である。
【図５】加入者光配線と宅内光配線を接続する屋外光キャビネットを示し、（ａ）は設置状態を示す斜視図、（ｂ）は一部破断した斜視図である。
【図６】同上において加入者光配線の成端部及び保持部を示す一部省略した概略構成図である。
【図７】同上において加入者光配線の成端部を示す一部省略した概略構成図である。
【図８】同上において加入者光配線並びに宅内光配線の成端部を示す一部省略した概略構成図である。
【図９】同上において加入者光配線並びに複数の宅内光配線の成端部を示す一部省略した概略構成図である。
【図１０】同上の他の構成を示し、（ａ）はカバーを閉じた状態の概略構成図、（ｂ）はカバーを開いた状態の概略構成図である。
【符号の説明】
【００３５】
１  ボックス
２  ボディ
５  光配線用引き込み口
７  通信ケーブル用引き込み口
１０  分波器
１３  映像用端末装置
１４  通信用端末装置
１６  分配器
１８  ルータ
２０  ハブ
４０  加入者光配線
【図１】
2006120741.tif 000003
【図２】
2006120741.tif 000004
【図３】
2006120741.tif 000005
【図４】
2006120741.tif 000006
【図５】
2006120741.tif 000007
【図６】
2006120741.tif 000008
【図７】
2006120741.tif 000009
【図８】
2006120741.tif 000010
【図９】
2006120741.tif 000011
【図１０】
2006120741.tif 000012